(57)【要約】【課題】二次電池に発生した異常（微短絡）を高精度に検出する。【解決手段】組電池１は、対称面Ｌに関して面対称となるように配列された複数のセル１０１〜１１２を含む。熱流束センサ２０２，２１０は、対称面Ｌに関して互いに面対称となる位置に配置され、熱流束センサ２０２，２１０の各々は、セル１０１〜１１２のうちの対応する二次電池の熱流束を取得する。ＥＣＵ３は、第１および第２の条件のうちの少なくとも一方が成立した場合に組電池１に異常が発生したと判定する。第１の条件は、熱流束センサ２０２により取得された熱流束の大きさに対する熱流束センサ２１０により取得された熱流束の大きさの比が１を含む基準範囲Ｒ外であるとの条件である。第２の条件は、熱流束センサ２０２が配置された位置と熱流束センサ２１０が配置された位置との間で熱流束の向きが同じであるとの条件である。【選択図】図６
2020047540.tif 000002
【特許請求の範囲】
【請求項１】
対称面に関して面対称となるように配列された複数の二次電池を含む組電池と、
前記複数の二次電池に対応して設けられた複数の熱流束センサと、
前記複数の熱流束センサにより取得された熱流束に基づいて、前記組電池に発生した異常を検出する異常検出装置とを備え、
前記複数の熱流束センサは、前記対称面に関して互いに面対称となる位置に配置され、各々が前記複数の二次電池のうちの対応する二次電池の熱流束を取得する第１および第２の熱流束センサを含み、
前記異常検出装置は、第１および第２の条件のうちの少なくとも一方が成立した場合に、前記組電池に異常が発生したと判定し、
前記第１の条件は、前記第１の熱流束センサにより取得された熱流束の大きさと前記第２の熱流束センサにより取得された熱流束の大きさとの比が１を含む基準範囲の外であるとの条件であり、
前記第２の条件は、前記第１の熱流束センサが配置された位置と前記第２の熱流束センサが配置された位置との間で熱流束の向きが同じであるとの条件である、異常検出システム。
【発明の詳細な説明】
【技術分野】
【０００１】
本開示は、異常検出システムに関し、より特定的には、二次電池の異常を検出する異常検出システムに関する。
【背景技術】
【０００２】
特開２００２−８６３１号公報（特許文献１）には、二次電池の内部短絡を検出する短絡検出装置が開示されている。この短絡検出装置は、温度センサによって二次電池の内部温度を検出し、検出された内部温度と予め定められた基準値とを比較する。そして、短絡検出装置は、検出された内部温度が基準値よりも大きい場合には、二次電池に内部短絡が発生していることを検出する。
【先行技術文献】
【特許文献】
【０００３】
【特許文献１】特開２００２−８６３１号公報
【特許文献２】特開２０１４−９２４２８号公報
【発明の概要】
【発明が解決しようとする課題】
【０００４】
特許文献１に開示された短絡検出装置を用いれば、二次電池に内部短絡が発生していることを検出することができる。しかしながら、二次電池では、その製造過程において微小な異物が混入することに起因して、将来的に内部短絡が継続される状態に至る可能性がある小規模な短絡が発生する場合がある。このような短絡を以下では「微短絡」と称する。
【０００５】
微短絡が発生したときの二次電池の内部温度の変化量は、内部短絡が継続的に発生しているときの二次電池の内部温度の変化量よりも小さい。そのため、温度センサにより取得した二次電池の内部温度と、内部短絡の発生を検出するための基準値とを比較しても、二次電池の微短絡を検出することができない可能性がある。つまり、二次電池の異常を高精度に検出することができない可能性がある。
【０００６】
本開示は、上記課題を解決するためになされたものであり、その目的は、二次電池に発生した異常（微短絡）を高精度に検出することである。
【課題を解決するための手段】
【０００７】
本開示のある局面に従う異常検出システムは、組電池と、複数の熱流束センサと、異常検出装置とを備える。組電池は、対称面に関して面対称となる位置に配列された複数の二次電池を含む。複数の熱流束センサは、複数の二次電池に対応して設けられる。異常検出装置は、複数の熱流束センサにより取得された熱流束に基づいて、組電池に発生した異常（微短絡）を検出する。複数の熱流束センサは、第１および第２の熱流束センサを含む。第１および第２の熱流束センサは、対称面に関して互いに面対称となるように配置され、各々が複数の二次電池のうちの対応する二次電池の熱流束を取得する。異常検出装置は、第１および第２の条件のうちの少なくとも一方が成立した場合に、組電池に異常が発生したと判定する。第１の条件は、第１の熱流束センサにより取得された熱流束の大きさと第２の熱流束センサにより取得された熱流束の大きさとの比が１を含む基準範囲の外であるとの条件である。第２の条件は、第１の熱流束センサが配置された位置と第２の熱流束センサが配置された位置との間で熱流束の向きが同じであるとの条件である。
【０００８】
上記構成によれば、対称面に関して互いに面対称となる位置に配置された一対の熱流束センサ（第１および第２の熱流束センサ）を用いて、熱流束の大きさが比較されるとともに、熱流束の向きが比較される。詳細は後述（図４および図５参照）するが、組電池の対称性および組電池における熱の流れ（発熱または放熱）を考慮すると、組電池が正常である場合には、一対の熱流束センサにより検出される熱流束の大きさがほぼ等しくなる（基準範囲内になる）とともに、熱流束の向きが逆になる。つまり、第１および第２の条件がいずれも不成立である。したがって、それ以外の場合、すなわち、第１および第２の条件の少なくとも一方が成立する場合には、二次電池に発生した異常が発生したと判定することができる。これにより、温度センサでは検出困難であった微短絡の発生を高精度に検出することができる。
【発明の効果】
【０００９】
本開示によれば、二次電池に発生した異常を高精度に検出することができる。
【図面の簡単な説明】
【００１０】
【図１】本実施の形態に係る異常検出システムが搭載された車両の全体構成を概略的に示す図である。
【図２】微短絡のメカニズムを説明するための概念図である。
【図３】本実施の形態における組電池および熱流束センサ群の構成を説明するための分解斜視図である。
【図４】組電池の正常時における熱流束の一例を概念的に示す図である。
【図５】組電池の異常（微短絡）発生時における熱流束の一例を概念的に示す図である。
【図６】異常検出システムにおける組電池の微短絡検出処理の手順を示すフローチャートである。
【図７】変形例における組電池および熱流束センサ群の構成を説明するための分解斜視図である。
【発明を実施するための形態】
【００１１】
以下、本実施の形態について、図面を参照しながら詳細に説明する。なお、図中同一または相当部分には同一符号を付して、その説明は繰り返さない。
【００１２】
以下に説明する本実施の形態に係る異常検出システムは、車両に搭載される。しかし、本実施の形態に係る異常検出システムの用途はこれに限定されず、たとえば、組電池が製造された後の検査工程における組電池の異常判定に用いることも可能である。
【００１３】
［実施の形態］
＜システム構成＞
図１は、本実施の形態に係る異常検出システムが搭載された車両の全体構成を概略的に示す図である。図１を参照して、車両９は、ハイブリッド車、プラグインハイブリッド車、電気自動車または燃料電池車である。車両９は、システムメインリレー（System  Main  Relay）９１と、パワーコントロールユニット（ＰＣＵ：Power  Control  Unit）９２と、モータジェネレータ（ＭＧ：Motor  Generator）９３と、駆動輪９４と、異常検出システム１０とを備える。異常検出システム１０は、組電池１と、熱流束センサ群２と、ＥＣＵ（Electronic  Control  Unit）３とを備える。
【００１４】
システムメインリレー９１は、組電池１とＰＣＵ９２との間に電気的に接続されている。システムメインリレー９１の開閉状態は、ＥＣＵ３からの制御信号に従って切り替えられる。ＰＣＵ９２は、組電池１からの電力によりモータジェネレータ９３を駆動するための電力変換装置である。ＰＣＵ９２は、たとえば、モータジェネレータ９３を駆動するためのインバータと、組電池１からの供給電力を昇圧してインバータへ供給するコンバータとを含んで構成される。モータジェネレータ９３は、交流回転電機であり、たとえば永久磁石が埋設されたロータを備える永久磁石型同期電動機である。
【００１５】
組電池１は、複数のセル（二次電池）を含む。本実施の形態において、複数のセルの各々は、リチウムイオン二次電池である。しかし、セルの種類は特に限定されず、各セルは、たとえばニッケル水素電池であってもよい。
【００１６】
熱流束センサ群２は、複数の熱流束センサを含む。熱流束センサ群２は、設置箇所における熱流束ＱＢを検出し、その検出結果を示す信号をＥＣＵ３に出力する。図示しないが、各熱流束センサは、２つの感熱素子（薄膜サーミスタ）を含んで構成されている。熱流束センサの熱伝導率をＣと表し、熱流束センサの厚み（ｙ軸方向）をｄと表し、２つの感熱素子間の温度差をΔＴ０と表す場合、これらのパラメータと熱流束ＱＢとの間には、ＱＢ＝Ｃ／ｄ×ΔＴ０との関係が成立する。熱伝導率Ｃおよび厚みｄは熱流束センサの仕様値から既知であるため、温度差ΔＴ０の検出値から熱流束ＱＢを算出することができる。組電池１および熱流束センサ群２の詳細な構成については後述する。
【００１７】
ＥＣＵ３は、ＣＰＵ（Central  Processing  Unit）３１と、メモリ（より具体的にはＲＯＭ（Read  Only  Memory）およびＲＡＭ（Random  Access  Memory））３２と、各種信号を入出力するための入出力ポート（図示せず）とを含んで構成される。ＥＣＵ３は、各センサおよび機器からの信号ならびにメモリ３２に格納されたプログラムに基づいて、各機器の制御を行なう。本実施の形態においてＥＣＵ３により実行される主要な処理として、「微短絡検出処理」が挙げられる。この処理については後に詳細に説明する。なお、ＥＣＵ３は、本開示に係る「異常検出装置」にする。
【００１８】
＜微短絡の発生＞
組電池１に含まれる各セルにおいては、内部短絡が継続される状態には至っていないが、将来的に内部短絡が継続される状態に至る可能性のある小規模な短絡である「微短絡」が発生する場合がある。微短絡が発生する要因の一例としては、たとえば、製造過程で混入した微小な異物が、負極の表面に析出することがあげられる。詳細には、たとえば、正極とセパレータとの間に異物が混入した場合に、この異物は、正極と接することになる。正極の電位は、異物を電解液に電気化学的に溶解させる駆動力となる。これにより、電解液に溶解した異物は、電気泳動により負極へ移動し、負極に到達した異物が負極の表面に析出する。この析出した異物が微短絡の原因となり得る。
【００１９】
図２は、微短絡のメカニズムを説明するための概念図である。図２（ａ）は、負極の表面に異物が析出している状態を示す。この異物は、時間の経過とともに肥大化し、セパレータ（図示せず）を貫通して正極に達する。そうすると、異物に短絡電流が流れる（図２（ｂ）参照）。異物が小さい場合には、短絡電流によって当該異物が焼き切れて短絡状態が解消される（図２（ｃ）参照）。このように、異物のサイズによっては、微短絡が発生しても、その状態が解消される可能性がある。したがって、自己放電量を判定する従来の方法では、微短絡を高精度に検出することができない可能性がある。
【００２０】
また、温度センサによりセルの温度を計測して、セルの異常発熱を検出することにより微短絡を検出することも考えられる。しかしながら、微短絡が発生したときのセル内部の温度変化量は、内部短絡が継続して発生しているときのセル内部の温度変化量よりも小さい。よって、温度センサを用いても、微短絡の発生によるセルの微小な温度変化を高精度に検出できない可能性がある。そこで、本実施の形態においては、熱流束センサが用いられる。
【００２１】
図３は、本実施の形態における組電池１および熱流束センサ群２の構成を説明するための分解斜視図である。図３に示す例では、組電池１は、１２個のセル１０１〜１１２を含む。熱流束センサ群２は、１１個の熱流束センサ２０１〜２１１を含む。
【００２２】
セル１０１〜１１２は、配列方向Ａに沿って、対称面Ｌに関して面対称となるように配列されている。より詳細には、セル１０１とセル１１２とは、対称面Ｌに関して互いに面対称である。セル１０２とセル１１１とは、対称面Ｌに関して互いに面対称である。残りのセル１０３〜１１０についても同様である。
【００２３】
なお、分解斜視図である図３では、あるセルと、そのセルと隣接する他のセルとの間が隔てられたように記載されているが、これは理解を容易にするためのものであり、実際には、上記２つのセルは互いに近接して配置されている。
【００２４】
熱流束センサ２０１は、セル１０１とセル１０２との間に設けられている。熱流束センサ２０２は、セル１０２とセル１０３との間に設けられている。残りの熱流束センサ２０３〜２１１についても同様である。
【００２５】
以上の構成とすることにより、熱流束センサ２０１と熱流束センサ２１１とは、対称面Ｌに関して互いに面対称となる位置に配置されている。熱流束センサ２０２と熱流束センサ２１０とは、対称面Ｌに関して互いに面対称となる位置に配置されている。残りの熱流束センサ２０３〜２０９についても同様である。
【００２６】
以下では、対称面Ｌに関して互いに面対称となる位置に配置された一対の熱流束センサ２０２と熱流束センサ２１０とを用いて組電池１の異常を検出する例について説明する。なお、この例では、熱流束センサ２０２，２１０のうちの一方が本開示に係る「第１の熱流束センサ」に相当し、他方が本開示に係る「第２の熱流束センサ」に相当する。
【００２７】
ＥＣＵ３は、熱流束センサ２０２による熱流束の検出結果および熱流束センサ２１０による熱流束の検出結果に基づいて、「第１の条件」が成立しているかを判定するとともに「第２の条件」が成立しているか否かを判定する。以下、組電池１が正常な状態と組電池１の異常（微短絡）が発生した状態とを比較しながら、第１および第２の条件について説明する。
【００２８】
一般に、組電池は、その充放電に伴って発熱する。また、組電池は、組電池の外部温度（環境温度）が組電池の温度よりも高温である場合には加熱され（温度上昇し）、組電池の外部温度が組電池の温度よりも低温である場合には冷却される（温度低下する）。そして、組電池の外側に配置されたセルほど放熱しやすい一方で、組電池の内側に配置されたセルでは熱がこもりやすい。ここでは、たとえば組電池が発熱しており、組電池の外部温度が組電池の温度よりも低温である場合を想定する。
【００２９】
図４は、組電池１の正常時における熱流束の一例を概念的に示す図である。組電池１においては、前述のように、対称面Ｌに関して面対称となる位置に１２個のセルが配置されている。そのため、組電池１が正常である場合（組電池１に含まれるすべてのセル１０１〜１１２が正常である場合）、図４に示すように、組電池１の中心（対称面Ｌの位置）の温度が最も高く、組電池１の中心から離れるに従って温度が低くなる。すなわち、組電池１に含まれるセル１０１〜１１２のうち、組電池１の中心近傍に配置されたセル１０６，１０７の温度が最も高く、セル１０６，１０７から遠くなるに従って温度が低くなり、両端に配置されたセル１０１，１１２の温度が最も低くなる。
【００３０】
図４（および後述する図５）では、組電池１の内部における熱流束が矢印により示されている。熱流束センサを用いると、熱流束の大きさに加えて、熱流束の向きを検出することができる。このように、熱流束センサは、いわばベクトル量を検出可能なセンサである。
【００３１】
組電池１が正常である場合、熱流束センサ２０２により取得される熱流束の大きさ｜ＱＢ２｜と、熱流束センサ２１０により取得される熱流束｜ＱＢ１０｜の大きさとは、ほぼ等しい（｜ＱＢ２｜≒｜ＱＢ１０｜）。｜ＱＢ２｜と｜ＱＢ１０｜とが完全に一致するとは必ずしも限らないものの、｜ＱＢ２｜と｜ＱＢ１０｜との比（｜ＱＢ２｜／｜ＱＢ１０｜）は、十分に１に近くなる。したがって、１を含む所定の数値範囲（たとえば０．８以上かつ１．２以下の範囲）を基準範囲Ｒと定義すると、｜ＱＢ２｜と｜ＱＢ１０｜との比は、基準範囲Ｒ内になると言える。
【００３２】
さらに、熱流束センサ２０２が配置された位置における熱流束ＱＢ２の向きは、組電池１の内側から外側に向かう向きであり、図中では右から左へと向かう向きである。これに対し、熱流束センサ２１０が配置された位置における熱流束ＱＢ１０の向きは、同様に組電池１の内側から外側に向かう向きであるものの、図中、左から右へと向かう向きである。このように、熱流束ＱＢ２の向きと熱流束ＱＢ１０の向きとは、逆になる。
【００３３】
図５は、組電池１の異常（微短絡）発生時における熱流束の一例を概念的に示す図である。この例では、セル１０２において微短絡が発生しており、それに起因するセル１０２の発熱が起こっているものとする。
【００３４】
この場合、熱流束センサ２０２により取得される熱流束の大きさ｜ＱＢ２｜は、熱流束センサ２１０により取得される熱流束｜ＱＢ１０｜の大きさよりも有意に大きくなる（｜ＱＢ２｜＞｜ＱＢ１０｜）。つまり、｜ＱＢ２｜と｜ＱＢ１０｜との比（＝｜ＱＢ２｜／｜ＱＢ１０｜）は、１よりも有意に大きくなり（上記の例では１．２よりも大きくなり）、基準範囲Ｒの外になる。
【００３５】
また、熱流束センサ２０２が配置された位置における熱流束ＱＢ２の向きは、セル１０２から遠ざかる向きであり、図中では左から右へと向かう向きである。一方、熱流束センサ２１０が配置された位置における熱流束ＱＢ１０の向きは、組電池１の正常時と同様に、図中、左から右へと向かう向きである。したがって、熱流束ＱＢ２の向きと熱流束ＱＢ１０の向きとは、同じになる。つまり、熱流束センサ２０２が配置された位置と熱流束センサ２１０が配置された位置との間で熱流束の向きが同じになる。
【００３６】
このような考察に基づき、本実施の形態においては、熱流束ＱＢ２の大きさ｜ＱＢ２｜と熱流束ＱＢ１０の大きさ｜ＱＢ１０｜との比（＝｜ＱＢ２｜／｜ＱＢ１０｜）が基準範囲Ｒ内であるか否かに関する条件を「第１の条件」と呼ぶ。また、熱流束ＱＢ２の向きと熱流束ＱＢ１０の向きとが逆であるか否かに関する条件を「第２の条件」と呼ぶ。
【００３７】
図４および図５にて説明した例によれば、第１の条件は、組電池１の正常時には成立する一方で、組電池１の微短絡（セル１０２の微短絡）発生時には不成立である。また、第２の条件は、組電池１の正常時には成立する一方で、組電池１の微短絡発生時には不成立である。このように、対称面Ｌに関して互いに面対称となるように配置された一対の熱流束センサ２０２，２１０を用いた第１および第２の条件の成否に応じて、組電池１が正常であるか微短絡が発生しているかを判定することができる。
【００３８】
＜微短絡検出処理フロー＞
図６は、異常検出システム１０における組電池１の微短絡検出処理の手順を示すフローチャートである。このフローチャートに示される各ステップは、所定条件（具体的には、組電池１に冷却機構が設けられている場合には当該冷却機構が停止しているとの条件）が成立している場合に、異常検出システム１０のＥＣＵ３により繰り返し実行される。このフローチャートの各ステップ（以下、ステップを「Ｓ」と略す））は、ＥＣＵ３によるソフトウェア処理によって実現されるが、その一部または全部がＥＣＵ３内に作製されたハードウェア（電気回路）によって実現されてもよい。なお、上記所定条件は、冷却機構が動作していると熱流束センサの特性上、十分な検出精度が得られないため、設けられたものである。
【００３９】
このフローチャートの実行開始時には、自然数であるパラメータｋが初期化され、１であるとする。Ｎは、組電池１に含まれるセル数（図３〜図５の例ではＮ＝１２）である。
【００４０】
図３および図６を参照して、Ｓ１において、ＥＣＵ３は、対称面Ｌに関して互いに面対称となるように配置された一対の熱流束センサ（たとえば熱流束センサ２０１，２１１）から、熱流束ＱＢｋ，ＱＢ（Ｎ−ｋ）の大きさおよび向きの両方を取得する。
【００４１】
Ｓ２において、ＥＣＵ３は、Ｓ１において取得された熱流束ＱＢｋ，ＱＢ（Ｎ−ｋ）の大きさに基づき、第１の条件が満たされているか否かを判定する。具体的には、ＥＣＵ３は、熱流束ＱＢｋの大きさ｜ＱＢｋ｜と熱流束ＱＢ（Ｎ−ｋ）の大きさ｜ＱＢ（Ｎ−ｋ）｜との比（＝｜ＱＢｋ｜／｜ＱＢ（Ｎ−ｋ）｜）が基準範囲Ｒ内であるか否かを判定する。比（｜ＱＢｋ｜／｜ＱＢ（Ｎ−ｋ）｜）が基準範囲Ｒ外である場合（Ｓ２においてＮＯ）、ＥＣＵ３は、微短絡が生じていることを示す異常フラグをオンに設定する（Ｓ４）。
【００４２】
一方、上記比（｜ＱＢｋ｜／｜ＱＢ（Ｎ−ｋ）｜）が基準範囲Ｒ内である場合（Ｓ２においてＹＥＳ）、ＥＣＵ３は、処理をＳ３に進め、Ｓ１において取得された熱流束ＱＢｋ，ＱＢ（Ｎ−ｋ）の向きに基づき、第２の条件が満たされているか否かを判定する。熱流束ＱＢｋの向きと熱流束ＱＢ（Ｎ−ｋ）の向きとが同じである場合（Ｓ３においてＮＯ）、ＥＣＵ３は、異常フラグをオンに設定する（Ｓ４）。なお、Ｓ４の処理の後には、処理はＳ５に進められる。
【００４３】
Ｓ３において熱流束ＱＢｋの向きと熱流束ＱＢ（Ｎ−ｋ）の向きとが逆である場合（Ｓ３においてＹＥＳ）、ＥＣＵ３は、処理をＳ５に進める。Ｓ５において、ＥＣＵ３は、対称面Ｌに関して互いに面対称となる位置に配置された熱流束センサの対のすべてについて、第１および第２の条件の成否が判定されたか否かを判定する。
【００４４】
熱流束センサの対のすべてについて第１および第２の条件の成否の判定が完了していない場合（Ｓ５においてＮＯ）には、ＥＣＵ３は、パラメータｋを１だけインクリメントし（Ｓ６）、処理をＳ１に戻す。これにより、熱流束センサの次の対（たとえば熱流束センサ２０２，２１０）について、第１および第２の条件の成否が判定されることとなる。熱流束センサの対のすべてについての判定が完了すると（Ｓ５においてＹＥＳ）、ＥＣＵ３は、処理をＳ７に進める。
【００４５】
Ｓ７において、ＥＣＵ３は、熱流束センサの対のすべてについての判定が行なわれる間に異常フラグがオンに設定されたか否かを判定する。少なくとも一対の熱流束センサについての判定の結果、異常フラグがオンに設定されている場合（Ｓ７においてＹＥＳ）、ＥＣＵ３は、ユーザに警告するための警告ランプを点灯させる（Ｓ８）。ただし、警告手法は特に限定されるものではなく、微短絡が発生したことを示すメッセージをディスプレイ（図示せず）に表示してもよいし、微短絡が発生したことを示すダイアグを発生させてもよい。その後、ＥＣＵ３は、処理をメインルーチンに戻す。
【００４６】
一方、熱流束センサのいずれの対においても異常フラグがオンに設定されることがなかった場合（Ｓ７においてＮＯ）、ＥＣＵ３は、Ｓ８の処理をスキップして処理をメインルーチンに戻す。
【００４７】
以上のように、本実施の形態における組電池１の微短絡検出処理によれば、対称面Ｌに関して互いに面対称となるように配置された一対の熱流束センサを用いて、熱流束の大きさが比較されるとともに、熱流束の向きが比較される。一対の熱流束センサによる熱流束の検出結果において、熱流束の大きさ同士が一致しなかった場合（基準範囲Ｒ外であった場合）、あるいは、熱流束の向きが逆向きにならなかった場合に、その一対の熱流束センサが設けられたいずれかのセルにおいて微短絡が発生したと判定される。このように、組電池１に含まれる配置の対称性に着目し、温度センサに代えて、熱流束センサにより検出される２つのパラメータ（熱流束の大きさおよび向き）を用いることで、微短絡の発生を検出することができる。
【００４８】
また、本実施の形態における組電池１の微短絡検出処理では、自己放電量を判定する従来の手法（電圧降下法）とは異なり、組電池１（セル１０１〜１１２）の充放電を行なわなくてもよい。そのため、電圧降下法では微短絡の検出に１日〜数日を要していたのに対し、本実施の形態によれば、微短絡の検出時間を数秒レベルにまで大幅に短縮することができる。
【００４９】
［変形例］
実施の形態（図３〜図５参照）では、互いに隣接する２つのセル間のすべてに熱流束センサが設けられる構成について説明した。この構成では、微短絡の検出精度が最も高くなる一方で、熱流束センサの設置数が多くなり、部材コストが掛かる。本変形においては、熱流束センサの設置数を削減する構成について説明する。
【００５０】
図７は、変形例における組電池１および熱流束センサ群２の構成を説明するための分解斜視図である。図７を参照して、組電池１は、前述した実施の形態と同様に、１２個のセル１０１〜１１２を含む。一方、熱流束センサ群２は、実施の形態では１１個の熱流束センサ２０１〜２１１を含むのに対し、本変形例では６個の熱流束センサ２２１〜２２６を含む。
【００５１】
熱流束センサ２２１は、セル１０１とセル１０２との間に設けられている。熱流束センサ２２２は、セル１０３とセル１０４との間に設けられている。熱流束センサ２２３は、セル１０５とセル１０６との間に設けられている。熱流束センサ２２４は、セル１０７とセル１０８との間に設けられている。熱流束センサ２２５は、セル１０９とセル１１０との間に設けられている。熱流束センサ２２６は、セル１１１とセル１１２との間に設けられている。
【００５２】
図７を図３と対比すると、セル１０２とセル１０３との間、セル１０４とセル１０５との間、セル１０６とセル１０７との間、セル１０８とセル１０９との間、および、セル１１０とセル１１１との間には、熱流束センサが設けられていないことが分かる。このように、熱流束センサの設置数を削減することにより、部材コストを低減することができる。それに加えて、図７に示した構成においても、車載用途に要求される微短絡の検出精度を達成することが可能である。本発明者による実証実験の結果によれば、実施の形態とほぼ同レベルの微短絡の検出精度を達成することができた。
【００５３】
今回開示された実施の形態は、すべての点で例示であって制限的なものではないと考えられるべきである。本開示の範囲は、上記した実施の形態の説明ではなくて特許請求の範囲によって示され、特許請求の範囲と均等の意味および範囲内でのすべての変更が含まれることが意図される。
【符号の説明】
【００５４】
１０  異常検出システム、１  組電池、１０１〜１１２  セル、２  熱流束センサ群、２０１〜２１２，２２１〜２２６  熱流束センサ、３  ＥＣＵ、３１  ＣＰＵ、３２  メモリ、９  車両、９１  システムメインリレー、９２  ＰＣＵ、９３  モータジェネレータ、９４  駆動輪。
【図１】
2020047540.tif 000003
【図２】
2020047540.tif 000004
【図３】
2020047540.tif 000005
【図４】
2020047540.tif 000006
【図５】
2020047540.tif 000007
【図６】
2020047540.tif 000008
【図７】
2020047540.tif 000009